(57)【特許請求の範囲】
【請求項１】
荷台に取り付けられるフレームと、
このフレームに回転可能に設けられた巻取り体と、
この巻取り体に引出し可能に巻回された長尺な線条部材と、
前記巻取り体に前記線条部材を巻き取る巻取り方向への回転力を付与するように設けられた付勢手段と、
ロック部材をロック位置へ移動させることに基づき、前記巻取り体の前記巻取り方向とは反対の引出し方向への回転を阻止するロック機構と、
長手方向の一端部の軸部が前記フレームに回動可能に取り付けられ締付け位置と締付け解除位置との間で回動可能に設けられた締付け用操作部材を有すると共に、この締付け用操作部材の長手方向の中間部に設けられ前記線条部材が引っ掛けられる引掛け部を有した締付け機構と、
前記締付け用操作部材を前記締付け位置に保持する保持手段とを具備し、
前記荷台上の荷物を前記線条部材でくくり付ける場合に、前記巻取り体から引き出された前記線条部材を前記荷台上の荷物に掛けてその線条部材の先端部を荷台の所定部位に固定すると共に、前記ロック機構により前記巻取り体の前記引出し方向への回転を阻止した状態で、前記締付け用操作部材を締付け位置へ回動させることに基づき、前記引掛け部により前記線条部材を前記軸部と前記引掛け部との間で二重に折り返すことによってその線条部材に前記荷物を締付ける方向への引張り力を作用させる構成としたことを特徴とする荷台用線条部材巻取り装置。
【請求項２】
締付け用操作部材は、締付け位置において、引掛け部が、当該締付け用操作部材の回動中心を通る線条部材の引張り方向の作用線上よりも締付け解除位置側とは反対側となるように構成されていることを特徴とする請求項１記載の荷台用線条部材巻取り装置。
【請求項３】
請求項１または２記載の荷台用線条部材巻取り装置を備えたことを特徴とする荷台。
【発明の詳細な説明】
【０００１】
【発明の属する技術分野】
本発明は、荷台上に荷物を積んで運搬する場合に好適する荷台用線条部材巻取り装置及び荷台に関する。
【０００２】
【発明が解決しようとする課題】
荷台、例えばパレットや台車上に荷物を積んで運搬する場合、従来では、バンドや紐などの長尺な線条部材により荷物をくくり付けることによって、荷崩れを防止するようにしていた。
【０００３】
しかしながら、このようなものでは、荷造り用の線条部材を荷台とは別に用意する必要があり、しかも、その線条部材を結び付けることが面倒であるなどの問題点があった。
【０００４】
このようなことに対処するものとして、本発明者らは、次のような構成のものを考え、出願している（特願平７−２２１８４９号参照）。このものは、荷台、例えばプラスチック製のパレットに、荷造り用の線条部材であるベルトを巻き取るベルト巻取り装置を複数個取り付けるようにしている。ベルト巻取り装置は、パレットに取り付けられるフレームと、このフレームに回転可能に設けられた巻取り体と、この巻取り体に引出し可能に巻回されたベルトと、巻取り体を巻取方向へ付勢するぜんまいばねと、巻取り体の回転をロックするロック機構とを備えた構成となっている。
【０００５】
上記構成において、パレット上に積んだ荷物をベルトによりくくり付ける場合には、次のようにして行う。まず、ベルト巻取り装置からベルトを引き出してパレット上の荷物に掛け、そのベルトの先端部をパレットの引掛け片に引っ掛ける。この状態で、ベルトをベルト巻取り装置側へ引張り、余ったベルトを巻取り体に巻き取らせる。この後、ロック機構を作動させて、巻取り体の回転を阻止することにより、ベルトが緩まないようにしている。斯様な構成のものによれば、荷造り用のベルトをパレットとは別に用意する必要がなく、しかも、そのベルトが緩まないようにすることができる。
【０００６】
しかしながら、上記した構成のものでは、巻取り体の回転を阻止することによりベルトが緩まないようにしているが、ベルトひいては荷物をそれ以上強く締付けることはできないものであった。
【０００７】
本発明は上記事情に鑑みてなされたものであり、その目的は、巻取り体の引出し方向への回転をロックして線条部材が緩まないようにした状態で、線条部材ひいては荷物をさらに強く締付けることができる荷台用線条部材巻取り装置及び荷台を提供するにある。
【０００８】
【課題を解決するための手段】
本発明の荷台用線条部材巻取り装置は、上記の目的を達成するために、荷台に取り付けられるフレームと、このフレームに回転可能に設けられた巻取り体と、この巻取り体に引出し可能に巻回された長尺な線条部材と、前記巻取り体に前記線条部材を巻き取る巻取り方向への回転力を付与するように設けられた付勢手段と、ロック部材をロック位置へ移動させることに基づき、前記巻取り体の前記巻取り方向とは反対の引出し方向への回転を阻止するロック機構と、長手方向の一端部の軸部が前記フレームに回動可能に取り付けられ締付け位置と締付け解除位置との間で回動可能に設けられた締付け用操作部材を有すると共に、この締付け用操作部材の長手方向の中間部に設けられ前記線条部材が引っ掛けられる引掛け部を有した締付け機構と、前記締付け用操作部材を前記締付け位置に保持する保持手段とを具備し、前記荷台上の荷物を前記線条部材でくくり付ける場合に、前記巻取り体から引き出された前記線条部材を前記荷台上の荷物に掛けてその線条部材の先端部を荷台の所定部位に固定すると共に、前記ロック機構により前記巻取り体の前記引出し方向への回転を阻止した状態で、前記締付け用操作部材を締付け位置へ回動させることに基づき、前記引掛け部により前記線条部材を前記軸部と前記引掛け部との間で二重に折り返すことによってその線条部材に前記荷物を締付ける方向への引張り力を作用させる構成としたところに特徴を有する（請求項１の発明）。
【０００９】
上記構成において、荷台上の荷物を線条部材でくくり付ける場合には、次のようにして行う。まず、線条部材を巻取り体から引き出して荷台上の荷物に掛け、その線条部材の先端部を荷台の所定部位に固定する。そして、線条部材を巻取り体側へ引張り、余った線条部材を巻取り体に巻き取らせ、また、ロック機構を作動させて巻取り体の引出し方向への回転を阻止した状態とする。これにより、線条部材としては緩まないようになる。この状態で、締付け用操作部材を締付け位置へ移動させると、引掛け部により線条部材に荷物を締付ける方向への引張り力が与えられるようになり、線条部材ひいては荷物をさらに強く締付けることができるようになる。
【００１０】
【発明の実施の形態】
以下、本発明の一実施例について図面を参照して説明する。
まず、図１ないし図４には、荷造り用の長尺な線条部材、この場合ベルト１を巻き取るためのベルト巻取り装置（線条部材巻取り装置）２が示されている。このベルト巻取り装置２のフレーム３は、コ字状に折曲形成された金属板製のフレーム本体４と、このフレーム本体４の上面に装着された金属板製の上面プレート５と、フレーム本体４の前面にビス６により取り付け固定された金属板製の前面プレート７とから構成されている。前面プレート７は、図５にも示すように、フレーム本体４の前面開口部を塞ぐように配置されたカバー部７ａと、このカバー部７ａの左右両側に斜め前方に向けて突出した突出板部７ｂ，７ｂと、各突出板部７ｂ，７ｂから側方へ向けて突出したフランジ部７ｃ，７ｃとを一体に有している。
【００１１】
フレーム本体４内には、巻取り体としてのドラム８が支軸９を介して回転可能に配設されており、このドラム９にベルト１が巻回されている。ベルト１の先端部には、環状の引掛け部１ａが形成されていると共に、この引掛け部１ａに金属製の取付具１０を介して例えばシリコンゴム製のフック１１が設けられており、このフック１１の部分が、前面プレート７におけるカバー部７ａの上部に設けられたベルトガイド１２の引出し口１３から前方へ導出されている。この場合、フック１１と取付具１０とは、インサート成形により一体化されている。
【００１２】
ドラム８における左右両側の円板状をなす２枚の端板部１４の外周部には、それぞれ多数個の歯部１４ａが形成されている。フレーム本体４の左側面部には、上記ドラム８にベルト１を巻き取る方向である巻取り方向Ａ１（図１及び図２参照）への回転力を付与するための付勢手段としてぜんまいばね１５（図４参照）が配設されており、このぜんまいばね１５はケース１６により覆われている。
【００１３】
フレーム本体４内の前部には、ほぼＳ字状をなすように屈曲形成された金属板製のロック部材１７が配設されている。このロック部材１７は、左右両側部に突設された軸部１７ａ，１７ａ（図５参照）を介してフレーム本体４に上下方向に回動可能に取り付けられていて、前部側の操作部１７ｂが、前面プレート７のカバー部７ａに形成された矩形状の開口部１８から前方へ突出している。また、このロック部材１７に形成されたばね引掛け部１９と、カバー部７ａに形成されたばね引掛け部２０との間には引張りコイルばね２１が取り付けられていて、ロック部材１７は、この引張りコイルばね２１の付勢力により後端部の係合部１７ｃが、前記ドラム８における両端板部１４の歯部１４ａに係合する方向（図１の矢印Ｂ方向）に付勢されている。なお、ロック部材１７は、開口部１８の上縁部及びフレーム本体４の左右両側部に設けられた規制凸部４ａにより、矢印Ｂ方向への回動が規制されている。
【００１４】
ここで、図１に示すように、ロック部材１７が、これの係合部１７ｃが両端板部１４の歯部１４ａに係合したロック位置に回動することにより、ドラム８の前記巻取り方向Ａ１とは反対の引出し方向Ａ２への回転を阻止するようになっており、これらロック部材１７と、両端板部１４の歯部１４ａと、引張りコイルばね２１とにより、ドラム８の引出し方向Ａ２への回転を阻止するロック機構２２を構成している。
【００１５】
前面プレート７の前面側には、金属の線材製の締付け用操作部材２３が配設されている。この締付け用操作部材２３は、全体として上下方向に長いほぼコ字形をなし、長手方向の一端部である上端部の左右両側に側方へ突出する軸部２３ａ，２３ａを有していて、これら軸部２３ａ，２３ａを、前面プレート７の両突出板部７ｂ，７ｂに形成された取付孔２４，２４に挿入することにより前面プレート７に回動可能に支持されている。この締付け用操作部材２３の長手方向（上下方向）の中間部には、棒状の引掛け部２５が設けられていると共に、この引掛け部２５の下側に当該引掛け部２５と平行に規制部２６が設けられていて、これら引掛け部２５と規制部２６との間に、上記ベルト１の先端部が挿通されている。締付け用操作部材２３における下部の操作部２３ｂは、前方に向けて折曲されている。
【００１６】
締付け用操作部材２３は、図１及び図２に示すように、前面プレート７のカバー部７ａに近接するように回動した締付け位置と、図６に示すように、前面プレート７の前方側へ回動した締付け解除位置との間で回動可能となっている。前面プレート７の両突出板部７ｂ，７ｂには、それぞれ保持手段を構成する弾性片部２７，２７が切り起こしにより形成されていて、締付け用操作部材２３を締付け位置まで回動させた際に、この締付け用操作部材２３の両側部がそれら弾性片部２７，２７により保持されることによって、締付け用操作部材２３が締付け位置に保持されるようになっている。
【００１７】
ここで、締付け用操作部材２３と、引掛け部２５とにより、後述するように、ベルト１に荷物を締付ける方向への引張り力を作用させるための締付け機構２８を構成している。またこの場合、締付け用操作部材２３を締付け位置に回動させた図１において、引掛け部２５の中心Ｏ１は、締付け用操作部材２３の回動中心である軸部２３ａの中心Ｏ２を通るベルト１の引張り方向（カバー部７ａの前面と平行な上下方向）の作用線Ｌ上よりも締付け解除位置側（前方）とは反対側（後方側）となるように設定されている。なお、前面プレート７における左右の両フランジ部７ｃの上下には、それぞれ取付孔２９が形成されている。
【００１８】
このように構成されたベルト巻取り装置２は、図７に示すように、荷台、この場合、合成樹脂製のパレット３１に取り付けて使用される。ベルト巻取り装置２は、パレット３１に次のようにして取り付けられている。すなわち、パレット３１の四隅部には、図８に示すように、側面に開口部３２を有する収納部３３が形成されていて、ベルト巻取り装置２のフレーム本体４部分をその開口部３２から収納部３３内に挿入し、前面フレーム７における左右の両フランジ部７ｃを開口部３２の左右両側部にあてがうと共に、収納部３３の内面側にそのフランジ部７ｃと対向するようにほぼＵ字形をなす補強板３３ａ（図４の二点鎖線参照）をあてがった状態で、上記各取付孔２９を介してリベット３４を打ち付けることにより、ベルト巻取り装置２はパレット３１に取り付けられている。
【００１９】
ベルト巻取り装置２は、１台のパレット３１に対して、この場合４箇所に取り付けられている（図７には２箇所のみ示す）。また、パレット３１において、ベルト巻取り装置２を取り付けた部位とは反対側の部位に、ベルト１先端部のフック１１を引掛けるためのフック引掛け部３５が設けられている。
【００２０】
さて、図７に示すように、パレット３１上に多数個の荷物３６を積んだ状態で、これら荷物３６をベルト１でくくり付けるには次のようにして行う。
まず、図６に示すように、締付け用操作部材２３を前方の締付け解除位置へ回動させると共に、ロック部材１７の操作部１７ｂを足で踏んで、ロック部材１７を引張りコイルばね２１の付勢力に抗してロック解除位置に回動させる。この状態では、ドラム８の引出し方向Ａ２への回転が許容されるようになるから、ベルト１を引出し方向へ引張ることに伴い、ベルト１を引き出すことができる。ベルト１を引き出して荷物３６に掛け、そのベルト１の先端部のフック１１を、ベルト巻取り装置２に対応するフック引掛け部３５に引っ掛ける。この状態で、ベルト１をベルト巻取り装置２側へ引っ張ると共に、ロック部材１７をロック解除位置に位置させることにより、余ったベルト１は、ぜんまいばね１５の付勢力によりドラム８に自動的に巻き取られるようになる。
【００２１】
そして、ロック部材１７を図１のロック位置に戻すと、ロック部材１７の係合部１７ｃがドラム８における端板部１４の歯部１４ａに係合することにより、ドラム８の引出し方向Ａ２への回転が阻止され、ベルト１が引き出されることが阻止されるようになる。この状態で、締付け用操作部材２３の操作部２３ｂを足で踏んで、当該締付け用操作部材２３を図６の締付け解除位置から図１の締付け位置へ回動（図６の矢印Ｃ参照）させると、ベルト１は、引掛け部２５により当該引掛け部２５と軸部２３ａとの間で二重に折り返されるようになり、これに伴い、引掛け部２５によりベルト１に荷物３６を締付ける方向（図１において、矢印Ｄ方向）への引張り力が与えられるようになり、ベルト１ひいては荷物３６をさらに強く締付けることができるようになる。
【００２２】
このとき、締付け用操作部材２３は、前面プレート７における左右の両弾性片部２７，２７により締付け位置に保持される。また、締付け位置においては、締付け用操作部材２３における引掛け部２５の中心Ｏ１は、前述したように、回動中心である軸部２３ａの中心Ｏ２を通るベルト１の引張り方向の作用線Ｌ上よりも後方側となるように設定されているので、締付け用操作部材２３が締付け解除位置方向（前方）へは容易には回動せず、よって締付け機構２８による締付け状態が不用意に解除されることを極力防止することができる。
【００２３】
このようにして、各ベルト巻取り装置２のベルト１を荷物３６に掛けることにより、荷物３６をベルト１によりくくり付けることができる。
【００２４】
一方、荷物３６に掛けたベルト１を外す場合には、まず、締付け用操作部材２３を前方の締付け解除位置側へ回動させると共に、ロック部材１７をロック解除位置へ回動させ、この状態でベルト１を少し引出し、フック１１をフック引掛け部３５から外す。そして、ベルト１に対する引張り力が解除されると、ベルト１はドラム８に巻き取られるようになる。
【００２５】
このような本実施例によれば、次のような効果を得ることができる。まず、ベルト巻取り装置２をパレット３１に取り付けて使用することにより、荷造り用の線条部材であるベルト１をパレット３１とは別に用意する必要がなく、しかも、そのベルト１を容易に締付けることができると共に、不使用時には収納できて、便利である。また、ベルト１は繰り返して使用できるから、バンド等の使い捨てがなくなり、荷受け側のごみの減量にも役立つ。
【００２６】
また、ベルト１を荷物３６に掛け、フック１１をフック引掛け部３５に引掛けると共に、ドラム８の引出し方向Ａ２への回転を阻止してベルト１が緩まないようにした状態で、締付け用操作部材２３を締付け位置へ回動させることにより、ベルト１に荷物３６を締付ける方向への引張り力が作用する構成としているので、ベルト１ひいては荷物３６をさらに強く締付けることができるようになる。
【００２７】
また、ドラム８の引出し方向Ａ２への回転を阻止するロック機構２２、及びベルト１に荷物３６を締付ける方向への引張り力を作用させる締付け機構２８を、ドラム８の近傍に設けているので、装置全体をコンパクトに収めることができる利点もある。しかも、締付け機構２８によりベルト１を締付ける構成としながらも、締付け機構２８の引掛け部２５はベルト１に強く当てるだけであるから、ベルト１に傷を付けることを極力防止することができる利点もある。
【００２８】
本発明は、上記した実施例にのみ限定されるものではなく、次のように変形または拡張することができる。
ベルト巻取り装置２を取り付ける荷台としては、パレット３１の他、底部にキャスターが付いている台車、或いは運搬用トラックの荷台でも良い。
【００２９】
また、ロック機構２２は、少なくともドラム８の引出し方向への回転を阻止する構成であれば良く、ドラム８の巻取り方向への回転も同時に阻止する構成とすることもできる。
【００３０】
上記した実施例では、ベルト１の先端部の引掛け部１ａにフック１１を取り付けるようにしたが、このフック１１を用いずに、引掛け部１ａをパレット３１のフック引掛け部３５に直接引掛ける構成とすることもできる。
さらに、線条部材としては、ベルト１に限られず、紐やロープでも良いことは勿論である。
【００３１】
【発明の効果】
請求項１の荷台用線条部材巻取り装置によれば、ロック機構により巻取り体の引出し方向への回転を阻止しして線条部材を緩まないようにした状態で、締付け機構により線条部材に荷物を締付ける方向への引張り力が与えられる構成としたことにより、線条部材ひいては荷物をさらに強く締付けることができるようになり、荷物を一層良好にくくり付けることができるようになる。
【００３２】
請求項２の荷台用線条部材巻取り装置によれば、締付け機構における締付け用操作部材が、締付け位置から締付け解除位置側へ不用意に外れることを極力防止できるようになる。
【００３３】
請求項３の荷台によれば、請求項１または２の荷台用線条部材巻取り装置を用いることにより、上記と同様な効果を得ることができる。
【図面の簡単な説明】
【図１】本発明の一実施例を示すもので、一部を破断して表したベルト巻取り装置の右側面図
【図２】ベルト巻取り装置の斜視図
【図３】ベルト巻取り装置の正面図
【図４】ベルト巻取り装置の底面図
【図５】要部の分解斜視図
【図６】ロック部材をロック解除位置へ回動させると共に、締付け用操作部材を締付け解除位置へ回動させた状態の要部の縦断側面図
【図７】ベルト巻取り装置をパレットへ取り付けた状態の使用例を示す全体の斜視図
【図８】ベルト巻取り装置を取り付けた部分の要部の斜視図
【符号の説明】
１はベルト（線条部材）、２はベルト巻取り装置（線条部材巻取り装置）、３はフレーム、８はドラム（巻取り体）、１１はフック、１４ａは歯部、１５はぜんまいばね（付勢手段）、１７はロック部材、２１は引張りコイルばね、２２はロック機構、２３は締付け用操作部材、２３ａは軸部（回動中心）、２５は引掛け部、２７は弾性片部（保持手段）、２８は締付け機構、３１はパレット（荷台）、３６は荷物である。
【図１】
0003777684.tif 000002
【図２】
0003777684.tif 000003
【図３】
0003777684.tif 000004
【図４】
0003777684.tif 000005
【図５】
0003777684.tif 000006
【図６】
0003777684.tif 000007
【図７】
0003777684.tif 000008
【図８】
0003777684.tif 000009